(57)【要約】【課題】便器全体の外観をすっきりとしてコンパクトにできる。流体吐出部が臨む吐出部用開口部に汚水や水が浸入しても、スムーズにボウル部内に排水できて侵入した汚水や水が吐出部用開口部内に滞留しない。【解決手段】  ボウル部１の上開口縁部の後部の前面部に便座２に座った人体の局部に向けて流体を吐出するための流体吐出部３が臨む吐出部用開口部４を形成する。吐出部用開口部４内の下面部がボウル部１側に向けて下り傾斜した傾斜下面部５となっている。【選択図】図１
2008095452.tif 000002
【特許請求の範囲】
【請求項１】
ボウル部の上開口縁部の後部の前面部に便座に座った人体の局部に向けて流体を吐出するための流体吐出部が臨む吐出部用開口部を形成し、該吐出部用開口部内の下面部がボウル部側に向けて下り傾斜した傾斜下面部となっていることを特徴とする便器。
【請求項２】
人体の局部に温水を吐出するための温水洗浄装置を便器に内装し、この温水洗浄装置を支持する装置支持ケースに、吐出部用開口部から出し入れ自在な温水洗浄装置に設けた流体吐出部を構成する洗浄ノズルが後退時に収納されるノズル収納部を設け、該ノズル収納部を吐出用開口部内に後方より嵌め込み、ノズル収納部内の下面部がボウル部側に向けて下り傾斜した下り傾斜部となっていることを特徴とする請求項１記載の便器。
【請求項３】
人体の局部を乾燥するための温風又は冷風を吐出するための送風装置を便器に内装し、送風装置に設けた送風ダクトの先端部が流体吐出部を構成していることを特徴とする請求項１又は請求項２記載の便器。
【発明の詳細な説明】
【技術分野】
【０００１】
本発明は、便器に関するものである。
【背景技術】
【０００２】
従来にあっては、便器の後部上面に温水洗浄便座装置を取付け、ボウル部の上開口縁部に設けられたリム部の後部の上方温水洗浄便座装置のケース前面を位置させ、該温水洗浄便座装置のケース前面に設けた開口部から、温水洗浄便座装置に設けた温水や冷水を吐出する洗浄ノズルを出し入れして人体の局部を洗浄するようにしていた。また、従来にあっては、温水洗浄便座装置に送風装置を組み込み、送風装置の送風ダクトの先端部を温水洗浄便座装置のケース前面に開口させて温風又は冷風を吐出することで人体の局部を乾燥するようにしていた（例えば、特許文献１参照）。
【０００３】
上記のような従来例にあっては、温水洗浄装置が便器内に組み込んでなくて、便器と別体の温水洗浄便座装置を便器の後部上面に載置して取付けたものであるから、便器装置全体をコンパクトにできないという問題があり、また、便器の後部上面と温水洗浄便座装置のケース下面との間の隙間に汚水や水が浸入して該隙間に滞留し、衛生的でないだけでなく、この部分が変色し、更に、悪臭の発生原因となるという問題があった。このため、上記特許文献１にあっては、人体の局部を乾燥するための温風を送る送風ダクトを分岐し、切り替えダンパーを切り替え操作することで温風の流れを切り替えて、便器の後部上面と温水洗浄便座装置のケース下面との間の隙間に吐出してこの部分を乾燥するようにしているが、この従来例にあっては、便器の後部上面と温水洗浄便座装置のケース下面との間の隙間に温風を吐出するものであるから構造が複雑となるという問題があり、更に、切り替えダンパーの切り替え操作が必要であって、操作が面倒となり、切り替えダンパーを切り替えない限り、温風を便器の後部上面と温水洗浄便座装置のケース下面との間の隙間に浸入した汚水は滞留したままの状態であり、また、温風を便器の後部上面と温水洗浄便座装置のケース下面との間の隙間に浸入した汚水は、温風の吐出のみでは十分排水できず、これらの理由により便器の後部上面と温水洗浄便座装置のケース下面との間の隙間に浸入した汚水の滞留による前述の諸問題を十分に解決することができないという問題があった。
【特許文献１】特開２００５−３０７４７２号公報
【発明の開示】
【発明が解決しようとする課題】
【０００４】
本発明は上記の従来の問題点に鑑みて発明したものであって、便器全体の外観をすっきりとしてコンパクトにでき、しかも、流体吐出部が臨む吐出部用開口部に汚水や水が浸入しても、スムーズにボウル部内に排水できて侵入した汚水や水が吐出部用開口部内に滞留することがなくて衛生的な便器を提供することを課題とするものである。
【課題を解決するための手段】
【０００５】
上記課題を解決するために本発明に係る便器は、ボウル部１の上開口縁部の後部の前面部に便座２に座った人体の局部に向けて流体を吐出するための流体吐出部３が臨む吐出部用開口部４を形成し、該吐出部用開口部４内の下面部がボウル部１側に向けて下り傾斜した傾斜下面部５となっていることを特徴とするものである。
【０００６】
このように、人体の局部に向けて流体を吐出するための流体吐出部３が臨む吐出部用開口部４をボウル部１の後部の前面部に形成したので、便器７の後部上面に別体の温水洗浄装置６などを載置してボウル部１の上開口縁部の上面よりも上方位置に流体吐出部３を設けるものに比べて、便器全体の外観がすっきりとし、コンパクトにできる。また、便器７の後部上面と温水洗浄装置６などとの間に汚水が浸入するということがない。また、吐出部用開口部４内に汚水や水が浸入しても、吐出部用開口部４内の下面部の下り傾斜した傾斜下面部５に沿ってボウル部１内にスムーズに排出される。
【０００７】
また、人体の局部に温水を吐出するための温水洗浄装置６を便器７に内装し、この温水洗浄装置６を支持する装置支持ケース８に、吐出部用開口部４から出し入れ自在な温水洗浄装置６に設けた流体吐出部３を構成する洗浄ノズル３ａが後退時に収納されるノズル収納部９を設け、該ノズル収納部９を吐出用開口部４内に後方より嵌め込み、ノズル収納部９内の下面部がボウル部１側に向けて下り傾斜した下り傾斜部１０となっていることが好ましい。
【０００８】
このような構成とすることで、温水洗浄装置６側に汚水や水が浸入するのを防止できる。特に、洗浄ノズル３ａを伝って汚水や水が浸入してノズル収納部９内に流下したり、あるいは、洗浄ノズル３ａをノズル収納部９に収納した際、洗浄ノズル３ａに付着していた汚水や水がノズル収納部９内に流下したとしても、下り傾斜部１０に沿って流れてボウル部１にスムーズに排出される。
【０００９】
また、人体の局部を乾燥するための温風又は冷風を吐出するための送風装置１１を便器７に内装し、送風装置１１に設けた送風ダクト１２の先端部が流体吐出部３を構成していることが好ましい。
【００１０】
このような構成とすることで、送風ダクト１２側に汚水や水が浸入するのが防止できる。
【発明の効果】
【００１１】
本発明は、上記のように、ボウル部の上開口縁部の後部の前面部に便座に座った人体の局部に向けて流体を吐出するための流体吐出部が臨む吐出部用開口部を形成したので、便器全体の外観をすっきりとしてコンパクトにでき、また、吐出部用開口部内の下面部を傾斜下面部としたので、吐出部用開口部内に汚水や水が浸入しても汚水や水が滞留しないでスムーズにボウル部内に排出できて衛生的である。
【発明を実施するための最良の形態】
【００１２】
以下、本発明を添付図面に示す実施形態に基いて説明する。便器７にはボウル部１が設けてあり、ボウル部１の上端開口縁部には全周にわたってリム部１３が設けてあり、このリム部１３の内周部はボウル部１内側に向けてむけて突出していている。
【００１３】
ボウル部１の上端開口縁部に設けたリム部１３の下面側には案内凹部１４を形成してあり、この案内凹部１４は全長にわたってボウル部１内に向けて側方が開口して側方開口となっている。
【００１４】
添付図面に示す実施形態においては、ボウル部１を備えた便器７はその主体部分が合成樹脂製となっているが、陶器製であってもよい。
【００１５】
添付図面に示す実施形態では、図１、図２に示すように、便器７は、ボウル部１を備えた前パーツ１５と、後パーツ１６と、支持フレーム１７とで構成してあり、便器７の主体を構成する前パーツ１５、後パーツ１６は共に合成樹脂製である。
【００１６】
前パーツ１５は水平断面略Ｃ字状をしたスカート部１８と、スカート部１８内の上部に嵌め込んで溶着一体化されたボウル部１と、更にボウル部１の上に嵌め込んでボウル部１の上端縁部及びスカート部１８の上端縁部に溶着一体化されたリム部１３とで構成してある。
【００１７】
添付図面に示す実施形態においては、図１、図３、図４に示すように、ボウル部１の上端開口縁部の全周にわたって形成したリム部１３の後部の前面部には後述の装置支持ケース８に取付けた便器付属装置に設けた流体吐出部３が臨む吐出部用開口部４が形成してある。
【００１８】
図１、図３、図４示す実施形態ではリム部１３の後部の前面部に吐出部用開口部４として、後述の温水洗浄装置６に設けた流体吐出部３を構成する洗浄ノズル３ａが臨む洗浄ノズル出し入れ用開口部３１と、後述の送風装置１１の送風ダクト１２先端部が臨む送風用開口部３２とが左右に並べて設けてある。また、リム部１３の後端部の下面には図１１に示すように、上記洗浄ノズル出し入れ用開口部３１、送風用開口部３２から左右方向にずれた位置に、後述の脱臭装置２４に連通するボウル部１内臭気を吸込むための脱臭用開口部３３を設けると共に、ボウル部１内を明るく照らすためのＬＥＤのような発光部よりなる後述の照明手段２５が臨む発光用開口部３４が設けてある。
【００１９】
リム部１３の下面とボウル部１の上端外周縁部とにより側方に開口した案内凹部１４が周設してあるが、この案内凹部１４の後端部の左右方向の一端部には図７に示すように後述のボウル洗浄水噴出部２６を構成するボウル洗浄ノズルが嵌め込まれる洗浄ノズル嵌め込み口３５が設けてあり、該洗浄ノズル嵌め込み口３５の側部が仕切り壁部となっている。したがって、ボウル洗浄水噴出部２６から案内凹部１４の後端部の左右方向の一端部に噴出された洗浄水は案内凹部１４内を旋回しながら流れつつ一部が案内凹部１４の側方開口の下端縁部部分から徐々にボウル部１内に旋回流となって流れ、この旋回流によりボウル部１内が洗浄されることになる。
【００２０】
また、リム部１３の後部は後方に向けて開口する位置決め用凹部３８となっている。位置決め用凹部３８の少なくとも後部内は後端側程上下開口巾が広くなるような傾斜している。後方に開口した位置決め用凹部３８後端部の開口部内の側部及び下面部にはそれぞれ図８に示すように横ガイド部３８ａ、下ガイド３８ｂが設けてある。また、位置決め用凹部３８の少なくとも後部内は後端側程上下開口巾が広くなるような傾斜している。
【００２１】
スカート部１８の前部の左右両側壁の下部には便器を設置する床面を照らす床面照明手段４０と、小鳥の鳴き声や清流の音等を出すためのスピーカー４１とが設けてある。
【００２２】
また、ボウル部１の底部の後部には後方向に向けて排水筒部２８を突設した水溜め部２９が形成してある。
【００２３】
上記のような構成のスカート部１８とボウル部１とリム部１３とを溶着一体化した前パーツ１５は、金属製の支持フレーム１７の前部にねじ具により取付けられる。
【００２４】
この前パーツ１５を支持フレーム１７の前部に取付けた後に、トラップケース３０を支持フレーム１７に取付けると共に、トラップケース３０内に内装したトラップ（図示せず）の一端部をボウル部１に設けた排水筒部２８に接続する。
【００２５】
本実施形態ではトラップはターントラップ方式のもので、フレキシブルなトラップ筒（図示せず）により構成してあり、モータ（図示せず）によりトラップ筒を回動して、トラップ筒が上向きＵ字状となったトラップ構造となる状態と、略逆Ｌ字状となってトラップ構造が解除される状態とを選択できるようになっており、通常はトラップ筒が上向きＵ字状となったトラップ構造となっていてボウル部１内の下部、排水筒部２８、トラップ筒内に水が溜まった状態となっていて、この状態で大便や小便を行い、大便や小便が終わると、後述のように洗浄水を流すと共に、トラップ筒を回動してトラップ構造を解除する状態にして、汚物と共に汚水を排水するようになっている。上記フレキシブルなトラップ筒、モータ等はトラップケース３０内に収納してある。なお、トラップケースの下部は開口していてトラップ筒の端部が床に形成される排水筒に接続される。
【００２６】
後パーツ１６は、上カバー１９、装置支持ケース８、リアカバー２１、上サイドカバー２２、下サイドカバー２３により構成してあり、これらはいずれも合成樹脂製である。
【００２７】
後パーツ１６の装置支持ケース８に局部洗浄用の温水洗浄装置６、人体の局部乾燥用の送風装置１１、ボウル部１内の臭気を脱臭するための脱臭装置２４、人体検知センサ（図示せず）、ＬＥＤのような発光部よりなる照明手段２５、ボウル洗浄水噴出部２６を構成する洗浄ノズル等の便器付属装置が取付けてある。
【００２８】
装置支持ケース８の前部中央部にはノズル収納部９が設けてあり、該ノズル収納部９に温水洗浄装置６に設けた流体吐出部３を構成する伸縮自在な洗浄ノズル３ａが配置してあり、該洗浄ノズル３ａは使用のために伸ばした際には前部がノズル収納部９から前方に突出するようになっており、収縮時には全体がノズル収納部９内に位置するようになっている。
【００２９】
このノズル収納部９は断面Ｕ状又は筒状をしており、内部の下面部がボウル部１側である前端側程下となるように下り傾斜した下り傾斜部１０となっており、ノズル収納部９の前端開口の上部には蓋の上端が開閉自在に枢支してあり、通常は蓋により閉じられており、洗浄ノズル３ａを伸長する際に洗浄ノズル３ａの先端で蓋を押し開くようになっている。
【００３０】
また、送風装置１１には送風用の送風ダクト１２が設けてあり、送風ダクト１２の先端部が装置支持ケース８の前部中央部のノズル収納部９の隣りに設けてあり、この送風ダクト１２の先端開口の上端には蓋の上端が開閉自在に枢支してあり、通常は蓋により閉じられており、送風ダクト１２先端から送風する際に、風の圧力で蓋を押し開いて風を噴出すことができるようになっている。
【００３１】
更に、脱臭装置２４には吸込みダクト５０が設けてあり、吸込みダクト５０の先端部が装置支持ケース８の前端部において下方に向けて開口している。
【００３２】
図９、図１０に示すように、装置支持ケース８の前端部には前方に向けて突出する位置決め用突部２が設けてある。添付図面に示す実施形態では装置支持ケース８の前端部が巾方向にわたって位置決め用突部３９となっている。
【００３３】
上記の構成の装置支持ケース８は支持フレーム１７の後部上面にねじ具により取付けて支持される。
【００３４】
この場合、装置支持ケース８の前端部の位置決め用突部３９を前パーツ１５の後方よりリム部１３の後部の後方に向けて開口した位置決め用凹部３８に図６に示すように嵌め込むことで装置支持ケース８をリム部１３に対して位置決めする。この場合、位置決め用凹部３８の少なくとも後部内は後端側程上下開口巾が広くなるような傾斜しているので、位置決め用突部３９を位置決め用凹部３８の後端開口部内に嵌め込み易く、位置決め用突部３９を位置決め用凹部３８の後端開口部内に嵌め込んだ状態で、位置決め用突部２の側端面部を位置決め用凹部３８後端部の開口部内の側部の横ガイド部３８ａに当てると共に、位置決め用突部３９の下端面を下ガイド３８ｂに載せ、この状態で、装置支持ケース８を前方に押し込むことで、位置決め用突部３９を位置決め用凹部３８内に嵌め込むことができる。
【００３５】
このように位置決め用突部３９を位置決め用凹部３８に嵌め込んで位置決めすることで、ボウル洗浄水噴出部２６となるボウル洗浄ノズルが洗浄ノズル嵌め込み口３５に嵌めこまれ、また、図３に示すように洗浄ノズル３ａが収納されたノズル収納部９が洗浄ノズル出し入れ用開口部３１に嵌め込まれ、また、図４に示すように送風装置１１の送風ダクト１２先端部が送風用開口部３２に嵌め込まれ、脱臭装置２４の吸込みダクト５０の先端が脱臭用開口部３３に臨むように位置させられ、更に、図５に示すようにＬＥＤのような発光部よりなる照明手段２５が発光用開口部３４に臨むように位置させられる。したがって、ボウル洗浄水噴出部２６、ノズル収納部９、送風ダクト１２先端部、吸込みダクト５０の先端部、照明手段２５を、それぞれ、洗浄ノズル嵌め込み口３５、洗浄ノズル出し入れ用開口部３１、送風用開口部３２、脱臭用開口部３３、発光用開口部３４にぴったりと位置決めして嵌めこんだり、臨ませたりでき、位置決めがきわめて容易となる。
【００３６】
このように、支持フレーム１７の前部に取付けた前パーツ１５に装置支持ケース８を位置決めした状態で、装置支持ケース８を支持フレーム１７にねじ具等により取付ける。
【００３７】
次に、上カバー１９は装置支持ケース８を覆うようにして装置支持ケース８に取付ける。この上カバー１９には便座２、便蓋２７が回動自在に取付けてある。
【００３８】
その後、リアカバー２１を装置支持ケース８や支持フレーム１７に取付け、更に、上サイドカバー２２をリアカバー２１に着脱自在に取付け、更に、下サイドカバー２３を上サイドカバー２２に着脱自在に係止して位置決めした状態で磁石により支持フレーム１７に対して着脱自在に取付ける。下サイドカバー２３や上サイドカバー２２を着脱することで便器７内部の保守、点検、修理等が行えるようになっている。
【００３９】
上記のような構成の便器７は、便座２に座った人体の局部を洗浄する場合は、流体吐出部３である洗浄ノズル３ａを伸長させることで吐出部用開口部４である洗浄ノズル出し入れ用開口部３１から突出させて洗浄ノズル３ａから洗浄水を吐出して人体の局部を洗浄し、洗浄が終わると、洗浄ノズル３ａを収縮して吐出部用開口部４に先端部を嵌め込んだノズル収納部９内に洗浄ノズル３ａを収納する。
【００４０】
一方、人体の局部の乾燥をするに当っては、流体吐出部３である送風ダクト１２の先端部から噴出する温風又は冷風を吐出部用開口部４である送風用開口部３２から吐出して人体の局部を乾燥する。
【００４１】
このように、本発明にあっては、人体の局部に向けて流体（洗浄水や温風）を吐出するための流体吐出部３である洗浄ノズル３ａや送風ダクト１２が臨む吐出部用開口部４を構成する洗浄ノズル出し入れ用開口部３１や送風用開口部３２がボウル部１の後部の前面部に形成してあるので、便器７の後部上面に別体の温水洗浄装置６などを載置してボウル部１の上開口縁部の上面よりも上方位置に流体吐出部３を設ける従来例のものに比べて、便器全体の外観がすっきりとし、コンパクトにできることになる。
【００４２】
そして、このように、便器７の後部上面に別体の温水洗浄装置６などを載置してボウル部１の上開口縁部の上面よりも上方位置に流体吐出部３を設けないので、従来のように便器７の後部上面と温水洗浄装置６などとの間に汚水が浸入するということがなく、便器７の後部上面に汚水が付着しても、簡単に拭き取ることができる。
【００４３】
また、ボウル部１の後部の前面部に形成した吐出部用開口部４内に汚水や水が浸入しても、吐出部用開口部４内の下面部の下り傾斜した傾斜下面部５に沿ってボウル部１内にスムーズに排出されることになり、吐出部用開口部４から内部の奥深くに浸入したり、内部に滞留したりするのを確実に防止できる。
【００４４】
また、伸縮して洗浄ノズル出し入れ用開口部３１から出し入れする洗浄ノズル３ａを伝って汚水や水が浸入してノズル収納部９内に流下したり、あるいは、洗浄ノズル３ａをノズル収納部９に収納した際、洗浄ノズル３ａに付着していた汚水や水がノズル収納部９内に流下することがあるが、このような場合は、ノズル収納部９の下面部が下り傾斜部１０となっているので、汚水や水を下り傾斜部１０に沿ってボウル部１にスムーズに排出することができる。
【００４５】
上記実施形態においてはターントラップ式の便器７の例で説明したが、これにのみ限定されず、サイフォン式やサイフォンジェット式、あるいは洗い流し式のものであってもよい。
【図面の簡単な説明】
【００４６】
【図１】本発明の便器の分解斜視図である。
【図２】同上の斜視図である。
【図３】同上の前パーツに装置支持ケースを位置決めした状態でノズル収納部を洗浄ノズル出し入れ用開口部に嵌め込んだ部分の断面図である。
【図４】同上の前パーツに装置支持ケースを位置決めした状態で送風ダクトの先端部を送風用開口部に嵌め込んだ部分の断面図である。
【図５】同上の前パーツに装置支持ケースを位置決めした状態で照明手段を発光用開口部に臨ませた部分の断面図である。
【図６】同上のリム部の嵌め込み凹部に嵌め込み突部を嵌め込んだ状態の下面図である。
【図７】同上の前パーツの分解斜視図である。
【図８】同上の前パーツの斜視図である。
【図９】同上の装置支持ケースの下面図である。
【図１０】同上の装置支持ケースの斜視図である。
【図１１】リム部の下面図である。
【符号の説明】
【００４７】
１  ボウル部
２  便座
３  流体吐出部
３ａ  洗浄ノズル
４  吐出部用開口部
５  傾斜下面部
６  温水洗浄装置
７  便器
８  装置支持ケース
９  ノズル収納部
１０  下り傾斜部
１１  送風装置
１２  送風ダクト
【図１】
2008095452.tif 000003
【図２】
2008095452.tif 000004
【図３】
2008095452.tif 000005
【図４】
2008095452.tif 000006
【図５】
2008095452.tif 000007
【図６】
2008095452.tif 000008
【図７】
2008095452.tif 000009
【図８】
2008095452.tif 000010
【図９】
2008095452.tif 000011
【図１０】
2008095452.tif 000012
【図１１】
2008095452.tif 000013